(57)【要約】【課題】アイスアップ現象に起因する室外側熱交換器の着霜量の増大を抑制することのできる分離型空気調和機の室外ユニットを提供する。【解決手段】分離型空気調和機の室外ユニット１０は、外気との熱交換面２１に滑水性及び撥水性を大きくする塗膜が施された室外側熱交換器２と、室外側熱交換器２からの水滴Ｗを受けるドレンパン２５とから構成される。そして、ドレンパン２５の底部のうち、室外側熱交換器２の下面と対向するところには、室外側熱交換器２に向けて突出して、室外側熱交換器２の下面を支持する支持部２６１が設けられる。【選択図】図２
2010038486.tif 000002
【特許請求の範囲】
【請求項１】
室外側熱交換器からの水をドレンパンの底部より受けて、これをドレンパンの排出口から外部に排出する分離型空気調和機の室外ユニットにおいて、
前記ドレンパンの底部のうち前記室外側熱交換器の下面と対向するところには、前記室外側熱交換器に向けて突出して前記下面を支持する支持部が設けられること
を特徴とする分離型空気調和機の室外ユニット。
【請求項２】
請求項１に記載の分離型空気調和機の室外ユニットにおいて、
前記支持部は、その上面の全体が前記室外側熱交換器の下方に位置し、且つ前記上面のみを通じて前記室外側熱交換器の下面を支持すること
を特徴とする分離型空気調和機の室外ユニット。
【請求項３】
請求項１または請求項２に記載の分離型空気調和機の室外ユニットにおいて、
前記室外側熱交換器の面のうち熱交換パイプを挿入する孔が形成された熱交換面において、これと対向する方向から前記室外側熱交換器を見たときに前記熱交換面の中心軸に直交する方向を幅方向として、
前記支持部の前記幅方向の長さが前記室外側熱交換器の前記幅方向の長さと同じまたはこれよりも小さいこと
を特徴とする分離型空気調和機の室外ユニット。
【請求項４】
請求項１〜請求項３のいずれか１項に記載の分離型空気調和機の室外ユニットにおいて、
前記支持部が前記ドレンパンの底部と一体をなすこと
を特徴とする分離型空気調和機の室外ユニット。
【請求項５】
請求項４に記載の分離型空気調和機の室外ユニットにおいて、
前記室外側熱交換器の面のうち熱交換パイプを挿入する孔が形成された熱交換面について、これと対向する方向から前記室外側熱交換器を見たときに前記熱交換面の中心軸に直交する方向を幅方向として、
前記支持部は、前記ドレンパンの底面から前記室外側熱交換器に向けて前記幅方向の長さが小さくなる形状をなすこと
を特徴とする分離型空気調和機の室外ユニット。
【請求項６】
請求項４に記載の分離型空気調和機の室外ユニットにおいて、
前記室外側熱交換器の面のうち熱交換パイプを挿入する孔が形成された熱交換面について、これと対向する方向から前記室外側熱交換器を見たときに前記熱交換面の中心軸に直交する方向を幅方向として、
前記支持部は、前記ドレンパンの底面から前記室外側熱交換器に向けて前記幅方向の長さが一定となる形状をなす下側部分と、前記下側部分の上部に設けられて前記ドレンパンの底面から前記室外側熱交換器に向けて前記幅方向の長さが小さくなる形状をなす上側部分とにより構成されること
を特徴とする分離型空気調和機の室外ユニット。
【請求項７】
請求項５または請求項６に記載の分離型空気調和機の室外ユニットにおいて、
前記支持部において、前記ドレンパンの底部に対して前記室外側熱交換器と反対側にある空間にヒータが設けられること
を特徴とする分離型空気調和機の室外ユニット。
【請求項８】
請求項１〜請求項３のいずれか１項に記載の分離型空気調和機の室外ユニットにおいて、
前記支持部が前記ドレンパンの底部と別体をなすこと
を特徴とする分離型空気調和機の室外ユニット。
【請求項９】
請求項１〜請求項８のいずれか１項に記載の分離型空気調和機の室外ユニットにおいて、
前記支持部は、前記ドレンパンの底面から前記室外側熱交換器に向けて突出する形状をなすとともに、前記室外側熱交換器を構成する複数のプレートフィンの配列方向において一定の間隔を経て複数配置されること
を特徴とする分離型空気調和機の室外ユニット。
【請求項１０】
請求項９に記載の分離型空気調和機の室外ユニットにおいて、
隣り合う前記支持部同士を接続する複数の接続部がさらに設けられ、前記支持部及び前記接続部が網の目をなす態様で接続されること
を特徴とする分離型空気調和機の室外ユニット。
【請求項１１】
請求項１０に記載の分離型空気調和機の室外ユニットにおいて、
前記ドレンパンの底部のうち前記室外側熱交換器の下方、且つ前記支持部及び前記接続部により囲まれるところに前記排出口が設けられ、前記ドレンパンの底部上にある水が前記網の目の空間部分を介して前記排出口に流れ込むこと
を特徴とする分離型空気調和機の室外ユニット。
【請求項１２】
請求項１〜請求項１１のいずれか１項に記載の分離型空気調和機の室外ユニットにおいて、
前記ドレンパンの底部のうち前記室外側熱交換器の側面の下方に位置するところに前記排出口が設けられること
を特徴とする分離型空気調和機の室外ユニット。
【発明の詳細な説明】
【技術分野】
【０００１】
本発明は、室外側熱交換器からの水をドレンパンの底部により受けて、これをドレンパンの排出口から外部に排出する分離型空気調和機の室外ユニットに関する。
【背景技術】
【０００２】
上記分離型空気調和機は、室内に設置される室内ユニット及び室外に設置される室外ユニットから構成される。
また、空気調和機は、暖房運転時に熱交換器を蒸発器として動作させる。ここで、熱交換器との間で熱交換を行う空気の温度が低い場合や蒸発温度が低い場合に、熱交換器の熱交換面に霜が発生する。霜が発生すると熱交換器の熱交換能力が低下し、その結果、空気調和機の冷凍能力も低下する。
【０００３】
特に、分離空気調和機の室外ユニットは、室外空気の影響を直接的に受けるため、暖房運転時に室外空気の温度が低下すると蒸発器として動作している室外側熱交換器の蒸発能力が低下し、空気調和機の暖房能力の低下を招く。そのため、分離型空気調和機では、室外側熱交換器に付着した霜を取り除くための除霜運転が適宜行われる。
【０００４】
しかしながら、除霜運転が行われると、暖房運転が休止されたり、暖房能力が低下したりするため、暖房快感度が低下するという問題がある。そのため、熱交換器における着霜を抑制して暖房運転の休止の頻度を低減することや、除霜運転時間の短縮を図ることが課題となっている。
【０００５】
この課題を解決する方法として、熱交換面の滑水性及び撥水性を大きくして着霜を抑制する着霜抑制層を熱交換面に設けることによって、抑制蒸発器として動作している熱交換器への着霜量を低減しようとする方法が提案されている。
【０００６】
例えば、特許文献１には、特定のオルガノポリシロキサンの１００重量部に対して、シラノール基を有する特定のオルガノポリシロキサンを３〜７０重量部の割合にて含有する組成物を、熱交換面に塗布・硬化させて塗膜を形成することが記載されている。
【０００７】
ここで図７を参照して、上記着霜抑制層を熱交換面に設けた従来の室外ユニットの構造について説明する。
図７は、従来の熱交換器の構成の概略を示す断面図である。熱交換器１００は、いわゆるクロスフィンアンドチューブ型熱交換器である。そして、熱交換器１００は、熱交換面を一定の間隔を経て多数のプレートフィン１０１を並べるとともに、これらのプレートフィン１０１に対して、内部を冷媒が流通する熱交換パイプ１０２を貫通させて構成されている。熱交換器１００では、プレートフィン１０１は、長手方向が上下方向に平行になるように配置されるとともに、プレートフィン１０１が流通方向１０３に直交する方向に沿って並べてなるフィン列が、流通方向１０３に沿って２列配列されている。プレートフィン１０１を貫通する熱交換パイプ１０２は、プレートフィン１０１の一端部から他端部まで長手方向に沿って等間隔に配置されている。熱交換面であるプレートフィン１０１の表面には、例えば、上述した着霜抑制層が設けられており、滑水性及び撥水性が大きくなっている。また、熱交換器１００より下方には、熱交換器１００から下方に向けて流下する水滴１０５を受けて排出するためのドレンパン１０６が配置されている。ここで、ドレンパン１０６は、平板状の板材から構成される。そして、ドレンパン１０６の上面１０６ａは、熱交換器１００の下端部の全面、即ち、プレートフィン１０１の下端部１０１ａの全面に対して接触する。
【０００８】
そして、このように熱交換器に着霜抑制層を設けて、熱交換面の滑水性及び撥水性を大きくした場合、熱交換器を蒸発器として動作させたときに熱交換面に凝縮する水滴が速やかに熱交換器の上方から下方に向けて流下する。これにより、熱交換面に付着する水滴の量が低減され、熱交換面における着霜量を低減することができる。
【特許文献１】特開２００２−３２３２９８号公報
【発明の開示】
【発明が解決しようとする課題】
【０００９】
ところで、上記の熱交換器１００では、熱交換器１００が蒸発器として動作しているときに、プレートフィン１０１に凝縮する水滴１０５は、矢印１０７で示すように上方から下方に向けて流下する。ここで、熱交換器１００からドレンパン１０６に向かい流下する水滴１０５が、ドレンパン１０６から室外ユニットの外部へ速やかに排出されない場合、プレートフィン１０１の下端部１０１ａとドレンパン１０６の上面１０６ａとの接触部分では、熱交換器１００からドレンパン１０６に向かい流下した水滴１０５が溜まって凍ることがある。
【００１０】
そして、プレートフィン１０１の下端部１０１ａに氷１０５ａができてしまうと、氷１０５ａと熱交換器１００から氷１０５ａに向かい流下した水滴１０５とが凍ることによって、矢印１０８で示すように、霜１０４がプレートフィン１０１の下端部１０１ａから上方に成長する、いわゆるアイスアップ現象が生じる。
【００１１】
このように、従来の熱交換器１００においては、プレートフィン１０１の表面の滑水性及び撥水性を増大させて着霜量の低減を図るようにしているものの、プレートフィン１０１の下端部１０１ａに形成された氷１０５ａから霜１０４が成長することに起因して、着霜量の低減効果が十分に得られないこともある。
【００１２】
本発明は、上記のような事情に鑑みてなされたものであって、その目的は、アイスアップ現象に起因する室外側熱交換器の着霜量の増大を抑制することのできる分離型空気調和機の室外ユニットを提供することである。なお、このことは、上記着霜抑制層が設けられない熱交換面についても同様である。
【課題を解決するための手段】
【００１３】
請求項１に記載の発明は、室外側熱交換器からの水をドレンパンの底部より受けて、これをドレンパンの排出口から外部に排出する分離型空気調和機の室外ユニットにおいて、前記ドレンパンの底部のうち前記室外側熱交換器の下面と対向するところには、前記室外側熱交換器に向けて突出して前記下面を支持する支持部が設けられることを要旨とする。
【００１４】
上記発明によれば、室外側熱交換器が支持部を通じてドレンパンの底部から離れたところに設けられることにより、ドレンパンの底部に滞留した水が氷結してアイスアップ現象が生じたとしても、これがすぐに熱交換面に着霜することはないため、アイスアップ現象に起因する室外側熱交換器の着霜量の増大を抑制することができる。
【００１５】
請求項２に記載の発明は、請求項１に記載の分離型空気調和機の室外ユニットにおいて、前記支持部は、その上面の全体が前記室外側熱交換器の下方に位置し、且つ前記上面のみを通じて前記室外側熱交換器の下面を支持することを要旨とする。
【００１６】
上記発明によれば、室外側熱交換器と支持部とが接触する部分の面積が小さくなるため、ドレンパンに滞留した水が氷結してアイスアップ現象が生じたとしても、これに起因して熱交換面の着霜量が増大することを抑制することができる。
【００１７】
請求項３に記載の発明は、請求項１または請求項２に記載の分離型空気調和機の室外ユニットにおいて、前記室外側熱交換器の面のうち熱交換パイプを挿入する孔が形成された熱交換面において、これと対向する方向から前記室外側熱交換器を見たときに前記熱交換面の中心軸に直交する方向を幅方向として、前記支持部の前記幅方向の長さが前記室外側熱交換器の前記幅方向の長さと同じまたはこれよりも小さいことを要旨とする。
【００１８】
上記発明によれば、室外側熱交換器上を下方に向けて流れる水が支持部の上面に過度に滞留することを抑制すること、即ち同上面に滞留した水の氷結に起因して熱交換面の着霜量が増大することを抑制することができる。
【００１９】
請求項４に記載の発明は、請求項１〜請求項３のいずれか１項に記載の分離型空気調和機の室外ユニットにおいて、前記支持部が前記ドレンパンの底部と一体をなすことを要旨とする。
【００２０】
上記発明によれば、支持部がドレンパンの底部と一体をなすことにより、別個として、室外側熱交換器の保持のための支持台が不要となる。したがって、部品点数の削減を図るとともに、室外ユニットの製造コストを低減することができる。
【００２１】
請求項５に記載の発明は、請求項４に記載の分離型空気調和機の室外ユニットにおいて、前記室外側熱交換器の面のうち熱交換パイプを挿入する孔が形成された熱交換面について、これと対向する方向から前記室外側熱交換器を見たときに前記熱交換面の中心軸に直交する方向を幅方向として、前記支持部は、前記ドレンパンの底面から前記室外側熱交換器に向けて前記幅方向の長さが小さくなる形状をなすことを要旨とする。
【００２２】
上記発明によれば、ドレンパンの上面が熱交換器の下端部の全面、即ち、プレートフィンの下端部の全面に対して接触する従来構造と比較して、支持部と室外側熱交換器との接触面積を小さくすることができる。
【００２３】
請求項６に記載の発明は、請求項４に記載の分離型空気調和機の室外ユニットにおいて、前記室外側熱交換器の面のうち熱交換パイプを挿入する孔が形成された熱交換面について、これと対向する方向から前記室外側熱交換器を見たときに前記熱交換面の中心軸に直交する方向を幅方向として、前記支持部は、前記ドレンパンの底面から前記室外側熱交換器に向けて前記幅方向の長さが一定となる形状をなす下側部分と、前記下側部分の上部に設けられて前記ドレンパンの底面から前記室外側熱交換器に向けて前記幅方向の長さが小さくなる形状をなす上側部分とにより構成されることを要旨とする。
【００２４】
上記発明によれば、ドレンパンの上面が熱交換器の下端部の全面、即ち、プレートフィンの下端部の全面に対して接触する従来構造と比較して、支持部と室外側熱交換器との接触面積を小さくすることができる。
【００２５】
請求項７に記載の発明は、請求項５または請求項６に記載の分離型空気調和機の室外ユニットにおいて、前記支持部において、前記ドレンパンの底部に対して前記室外側熱交換器と反対側にある空間にヒータが設けられることを要旨とする。
【００２６】
上記発明によれば、支持部において、ドレンパンの底部に対して室外側熱交換器と反対側にある空間にヒータが配設されることにより、支持部に付着した水滴が氷結するのを抑制することができる。したがって、支持部に付着した水滴の氷結に起因して、熱交換面の着霜量が増大することを抑制することができる。
【００２７】
請求項８に記載の発明は、請求項１〜請求項３のいずれか１項に記載の分離型空気調和機の室外ユニットにおいて、前記支持部が前記ドレンパンの底部と別体をなすことを特徴とする。
【００２８】
請求項９に記載の発明は、請求項１〜請求項８のいずれか１項に記載の分離型空気調和機の室外ユニットにおいて、前記支持部は、前記ドレンパンの底面から前記室外側熱交換器に向けて突出する形状をなすとともに、前記室外側熱交換器を構成する複数のプレートフィンの配列方向において一定の間隔を経て複数配置されることを要旨とする。
【００２９】
上記発明によれば、ドレンパンの上面が熱交換器の下端部の全面、即ち、プレートフィンの下端部の全面に対して接触する従来構造と比較して、支持部と室外側熱交換器との接触面積を小さくすることができる。
【００３０】
請求項１０に記載の発明は、請求項９に記載の分離型空気調和機の室外ユニットにおいて、隣り合う前記支持部同士を接続する複数の接続部がさらに設けられ、前記支持部及び前記接続部が網の目をなす態様で接続されることを要旨とする。
【００３１】
上記発明によれば、支持部及び接続部が網の目をなす態様で接続されることにより、支持部及び接続部が網の目でない平板状の平面にて形成される場合と比較して、氷が支持台から熱交換器に向かい侵入する経路を小さくすることができる。したがって、支持部及び接続部から熱交換面に向かう氷の量を低減することができるため、熱交換面の着霜量を低減することができる。
【００３２】
請求項１１に記載の発明は、請求項１０に記載の分離型空気調和機の室外ユニットにおいて、前記ドレンパンの底部のうち前記室外側熱交換器の下方、且つ前記支持部及び前記接続部により囲まれるところに前記排出口が設けられ、前記ドレンパンの底部上にある水が前記網の目の空間部分を介して前記排出口に流れ込むことを要旨とする。
【００３３】
上記発明によれば、室外側熱交換器から下方に流下した水が網の目の空間部分を介して排水口に流れ込むため、ドレンパンの底部に水が溜まるのを抑制することができる。したがって、ドレンパンの底部の氷に起因して、室外側熱交換器の着霜量の増加を抑制することができる。
【００３４】
請求項１２に記載の発明は、請求項１〜請求項１１のいずれか１項に記載の分離型空気調和機の室外ユニットにおいて、前記ドレンパンの底部のうち前記室外側熱交換器の側面の下方に位置するところに前記排出口が設けられることを要旨とする。
【００３５】
上記発明によれば、排水口が室外側熱交換器の側面の下方に位置するため、室外側熱交換器よりドレンパンに向かい流下した水滴を排水口から室外ユニットの外部に排出できるため、水滴を効率的に室外ユニットの外部に排出することができる。
【発明の効果】
【００３６】
本発明によれば、アイスアップ現象に起因する室外側熱交換器の着霜量の増大を抑制することのできる分離型空気調和機の室外ユニットを提供することができる。
【発明を実施するための最良の形態】
【００３７】
（第１の実施形態）
以下、図１〜図３を参照して、本発明の分離型空気調和機の室外ユニットを具体化した第１の実施形態について説明する。
【００３８】
図１に示すように、空気調和機１では、室外側熱交換器２、膨張弁３、室内側熱交換器４、四路切換弁５及び圧縮機６が冷媒配管によって接続されることにより、冷媒回路が構成されている。
【００３９】
空気調和機１は、次のように冷房運転及び暖房運転を行う。
冷房運転時において、四路切換弁５は、図１中の実線側に設定される。この状態において、圧縮機６から吐出した熱媒体である冷媒は、四路切換弁５の実線側、室外側熱交換器２、膨張弁３、室内側熱交換器４、および四路切換弁５の実線側の順番で循環して圧縮機６に吸入される。このような冷媒の循環によって、室外側熱交換器２は、凝縮器として動作し、室内側熱交換器４は、蒸発器として動作する。ここで、凝縮器として動作する室外側熱交換器２では、ガス冷媒が室外空気と熱交換を行って液冷媒となることによって、冷媒は室外空気に対して放熱する。また、蒸発器として動作する室内側熱交換器４では、冷媒が室内空気と熱交換を行って蒸発してガス冷媒となることによって、室内空気は冷媒によって吸熱されて冷却される。
【００４０】
一方、暖房運転時において、四路切換弁５は、図１中の破線側に設定される。この状態において、圧縮機６から吐出した冷媒は、四路切換弁５の破線側、室内側熱交換器４、膨張弁３、室外側熱交換器２、四路切換弁５の破線側の順番で循環して圧縮機６に吸入される。上記のような冷媒の循環によって、室内側熱交換器４は、凝縮器として動作し、室外側熱交換器２は、蒸発器として動作する。ここで、凝縮器として動作する室内側熱交換器４では、ガス冷媒が室内空気と熱交換を行って凝縮することによって、冷媒は室内空気に対して放熱する。また、蒸発器として動作する室外側熱交換器２では、冷媒は室外空気と熱交換を行って蒸発してガス冷媒となることによって、冷媒は室外空気から吸熱する。
【００４１】
図２に示すように、空気調和機１の室外ユニット１０には、上記冷媒回路を構成する室外側熱交換器２と、この室外側熱交換器２の下方に設けられてこれを支持するドレンパン２５とが設けられている。また、室外側熱交換器２は、室外ユニットの筐体に取り付けられている。
【００４２】
室外側熱交換器２は、いわゆるクロスフィンアンドチューブ型熱交換器として構成されている。具体的には、室外側熱交換器２は、外気との熱交換を行う熱交換面２１が互いに対向して配置される複数のプレートフィン２２、即ち、熱交換面２１間に一定の間隔が形成される状態で並列に配置される複数のプレートフィン２２と、プレートフィン２２の配列方向において、複数のプレートフィン２２を貫通する熱交換パイプ２４とにより構成されている。プレートフィン２２同士の間に形成された空間は、空気を流通させる通路をなし、この通路を通過する空気により熱交換面２１にて空気と冷媒との間で熱交換が行われる。以降では、プレートフィン２２間における空気の流通方向を空気流通方向Ｘとする。なお、本実施形態では、熱交換面２１としては、各プレートフィン２２の面のうち熱交換パイプ２４を挿入する孔が形成された面を想定している。
【００４３】
室外側熱交換器２では、プレートフィン２２は、長手方向が上下方向に平行になるように配置されている。プレートフィン２２が空気流通方向Ｘの側方に沿って配列されるフィン列が、空気流通方向Ｘに沿って１列配列されている。また、プレートフィン２２の表面には、滑水性及び撥水性を有する塗膜が形成されている。なお、プレートフィン２２としては、フラットフィン、スリットフィン、ワッフルフィンなど、板状のフィンであればいずれのタイプのフィンであってもよい。
【００４４】
ドレンパン２５は、室外側熱交換器２から下方に向かい流下する水滴Ｗを受けてこれを排出するとともに、室外ユニット１０の底フレームを構成する。ドレンパン２５には、水滴Ｗを受ける底壁２５ｃと、この底壁２５ｃ上にある水滴Ｗを排出するドレン排出口２５ｂと、室外側熱交換器２を支持する支持台２６とが設けられている。ドレン排出口２５ｂは、底壁２５ｃのうちの室外側熱交換器２の下方に位置するところ、即ち、室外側熱交換器２のプレートフィン２２の下端面２２１と対向するように設けられる。支持台２６は、底壁２５ｃとは別体をなすものであって、底壁２５ｃの上面２５ａに固定されている。
【００４５】
図３に示すように、支持台２６は、金属製且つ断面矩形状の複数のフレームが格子をなす態様で組合させられることにより、ドレンパン２５とは別体をなすものとして構成されている。支持台２６には、空気流通方向Ｘの側方から室外側熱交換器２を見たとき、即ち、プレートフィン２２の配列方向から室外側熱交換器２を見たときに、ドレンパン２５の底壁２５ｃ（図２参照）から立ち上げられて方形状をなす支持部である第１フレーム部２６１と、プレートフィン２２の配列方向において、隣り合う第１フレーム部２６１同士を接続する接続部である複数の第２フレーム部２６２と、ドレンパン２５の上面２５ａと接触してこれに固定される第３フレーム部２６３とが設けられている。
【００４６】
各第１フレーム部２６１は、一方の端にあるプレートフィン２２と他方の端にあるプレートフィン２２との間に対応するドレンパン２５上において、プレートフィン２２の配列方向に等間隔に設けられている。また、その上面である載置面２６１ａにおいて、プレートフィン２２の下端面２２１と接触し、これにより、プレートフィン２２の下端面２２１を支持している。また、載置面２６１ａの全体が室外側熱交換器２の下方に位置し、且つ載置面２６１ａのみを通じて室外側熱交換器２の下面（各プレートフィン２２の下端面２２２１）を支持している。また、熱交換面２１と対向する方向から室外側熱交換器２を見たときに熱交換面２１の中心軸に直交する方向を幅方向とすると、各第１フレーム部２６１の幅方向の長さが室外側熱交換器２（各プレートフィン２２）の幅方向の長さより小さく設定されている（図２参照）。また、第１フレーム部２６１の各プレートフィン２２の下端面２２１と接触する部分の面積が、プレートフィン２２の下端面２２１の面積よりも小さく設定されている。
【００４７】
各第２フレーム部２６２は、プレートフィン２２の配列方向において、隣り合う第１フレーム部２６１の頂点同士を結ぶ態様で各第１フレーム部２６１に接続されている。これにより、支持台２６が格子をなす態様となる。
【００４８】
ドレンパン２５のドレン排出口２５ｂは、ドレンパン２５の底壁２５ｃのうち室外側熱交換器２の下方、且つ各第１フレーム部２６１及び第２フレーム部２６２により囲まれるところ、即ち、各プレートフィン２２の下端面２２１に対応するところに設けられている。
【００４９】
ここで、図２に示すように、支持台２６が格子をなすことにより、室外側熱交換器２から流下する水滴Ｗは、隣り合う第１フレーム部２６１の間を通過した後、ドレン排出口２５ｂから室外ユニット１０の外部に排出される。
【００５０】
本実施形態の分離型空気調和機の室外ユニットによれば、以下の効果を奏することができる。
（１）本実施形態の室外ユニットでは、支持台２６の支持部である第１フレーム部２６１及び接続部である第２フレーム部２６２が網の目をなす態様で接続される構成としている。この構成により、第１フレーム部及び第２フレーム部が網の目に形成されない場合、即ち、図７に示すように、ドレンパン１０６の上面１０６ａがプレートフィン１０１の下端部１０１ａの全面に対して接触する場合と比較して、室外側熱交換器２と載置面２６１ａとの接触する面積は、小さくすることが可能となる。したがって、室外側熱交換器２から流下した水滴Ｗが室外側熱交換器２と載置面２６１ａとの接触する部分に溜まる水滴Ｗの量を低減することができるため、水滴Ｗが氷結することによって形成される霜がプレートフィン２２の下端面２２１から上方に向かって成長する、いわゆる、アイスアップ現象（以下、単に「アイスアップ現象」という。）を抑制することができる。その結果、室外側熱交換器２の着霜量を低減することができる。
【００５１】
（２）また、第１フレーム部２６１及び第２フレーム部２６２が網の目をなす態様に接続されるため、図７に示すように、ドレンパン１０６の上面１０６ａが、プレートフィン１０１の下端部１０１ａの全面に対して接触する場合と比較して、支持台２６に付着した氷が支持台２６の第２フレーム部２６２からプレートフィン２２に向かい侵入する経路を小さくすることができる。したがって、支持台２６の第２フレーム部２６２の氷の付着する量を低減することができるため、アイスアップ現象を抑制することができる。その結果、室外側熱交換器２の着霜量を低減することができる。
【００５２】
（３）さらに、室外側熱交換器２から下方に流下した水滴Ｗは、各第１フレーム部２６１の間及び各第２フレーム部２６２の間からドレン排出口２５ｂを介して、室外ユニットの外部へ水滴を排出することができる。したがって、ドレンパン２５の底壁２５ｃに水滴Ｗが滞留することを抑制することができるため、ドレンパン２５の底壁２５ｃに滞留した水滴Ｗが氷結することにより霜となる量を低減することができる。
【００５３】
（第２の実施形態）
図４を参照して、本発明の本発明の分離型空気調和機の室外ユニットを具体化した第２の実施形態について説明する。なお、本実施形態の室外側熱交換器の構造は、第１の実施形態の室外側熱交換器２と同一の構造であるため、同一符号を付し、その説明を省略する。
【００５４】
図４に示すように、ドレンパン３０は、室外側熱交換器２から下方に向かい流下する水滴Ｗを受けてこれを排出するとともに、室外ユニット１０の底フレームを構成する。そして、ドレンパン３０には、室外側熱交換器２のプレートフィン２２の配列方向において、部分的に立ち上げた複数の座部３１が設けられる。これら座部３１は、支持部を構成する。ここで、座部３１とドレンパン３０とは一体をなす、即ち、座部３１とドレンパン３０とは単一部材から構成される。
【００５５】
図４（ａ）に示すように、座部３１には、プレートフィン２２の配列方向において、座部３１は、ドレンパン３０の底面である底壁３０ａの上面３０ｂから室外側熱交換器２に向けて幅方向の長さが小さくなる形状、即ち、ドレンパン３０の下方から上方に向かいテーパ状となる立上がり面３１１と、室外側熱交換器２の下面、即ち、プレートフィン２２の下端面と接触する室外側熱交換器載置面（以下、単に「載置面」という。）３１２とが形成されている。ここで、幅方向とは、熱交換面２１と対向する方向から室外側熱交換器２を見たときに熱交換面２１の中心軸に直交する方向である。また、幅方向において、載置面３１２の幅Ｈ１は、室外側熱交換器２の幅である、プレートフィン２２の幅Ｈ２よりも小さい。この構成により、載置面３１２とプレートフィン２２の下端面２２１との接触する面積を小さくすることができる。
【００５６】
また、図４（ｂ）に示すように、各座部３１は、プレートフィン２２の配列方向において、互いに一定の間隔を経て配置される。そして、プレートフィン２２の配列方向において、互いに隣り合う座部３１の間には、室外側熱交換器２からドレンパン３０に向かい流下した水滴Ｗを室外ユニットの外部に排出するドレン排出口３２が備えられる。
【００５７】
本実施形態の分離型空気調和機の室外ユニットによれば、以下の効果を奏することができる。
（４）本実施形態の室外ユニットでは、プレートフィン２２の配列方向において、ドレンパン３０上に立ち上げられた座部３１が、互いに離間して、複数設けられる構成である。この構成により、プレートフィン２２の配列方向において、座部が互いに離間しない、即ち、図７に示すように、ドレンパン１０６の上面１０６ａが、プレートフィン１０１の下端部１０１ａの全面に対して接触する場合と比較して、室外側熱交換器２と載置面３１２との接触する面積を小さくすることができる。したがって、室外側熱交換器２から流下した水滴Ｗが室外側熱交換器２と載置面３１２との接触する部分に溜まる水滴Ｗの量を低減することができるため、アイスアップ現象を抑制することができる。その結果、室外側熱交換器２の着霜量を低減することができる。
【００５８】
（５）本実施形態の室外ユニットでは、プレートフィン２２の配列方向において、隣り合う座部３１の間にドレン排出口３２が備えられる構成とする。この構成により、室外側熱交換器２から各座部３１に向かい流下する水滴Ｗが、各ドレン排出口３２から室外ユニット１０の外部に排出されるため、座部３１に付着した水滴Ｗを効率的に室外ユニット１０の外部に排出することができる。したがって、座部３１に付着した水滴Ｗの量を低減することができるため、アイスアップ現象を抑制することができる。その結果、室外側熱交換器２の着霜量を低減することができる。
【００５９】
（６）また、ドレンパン３０と座部３１とが一体をなす、即ち、ドレンパン３０と座部３１とが単一部材として構成される。したがって、別個として、室外側熱交換器２の保持のための支持部が不要となり、室外ユニット１０の製造コストを低減することができる。
【００６０】
（第３の実施形態）
図５を参照して、本発明の本発明の分離型空気調和機の室外ユニットを具体化した第３の実施形態について説明する。なお、本実施形態の室外側熱交換器の構造は、第１の実施形態の室外側熱交換器２と同一の構造であるため、同一符号を付し、その説明を省略する。
【００６１】
図５に示すように、ドレンパン４０は、室外側熱交換器２から下方に向かい流下する水滴Ｗを受けてこれを排出するとともに、室外ユニット１０の底フレームを構成する。そして、ドレンパン４０には、室外側熱交換器２の空気通過面方向である空気流通方向Ｘの側方の複数個所において、部分的に立ち上げた座部４１が設けられる。これら座部４１は、支持台を構成する。また、空気流通方向Ｘにおいて、座部４１は、室外側熱交換器２の下流側、即ち、プレートフィン２２の下流側に配置される。そして、座部４１の下方である座部４１におけるドレンパン４０の底部に対して室外側熱交換器２と反対側にある空間Ｓ１には、座部４１を加熱するヒータ４３が配設されている。このヒータ４３は、座部４１を加熱することにより、ドレンパン４０に溜まる水滴Ｗが凍結することを抑制する。
【００６２】
図５（ａ）に示すように、座部４１は、ドレンパン４０の底面である底壁４０ａの上面４０ｂから室外側熱交換器２に向けて幅方向の長さが小さくなる形状、即ち、ドレンパン４０の下方から上方に向かいテーパ状となる立上がり面４１１と、室外側熱交換器２の下面、即ち、プレートフィン２２の下端面と接触する室外側熱交換器載置面（以下、単に「載置面」という。）４１２とが形成されている。ここで、幅方向とは、熱交換面２１と対向する方向から室外側熱交換器２を見たときに熱交換面２１の中心軸に直交する方向である。また、幅方向において、載置面４１２の幅Ｈ４は、室外側熱交換器２の幅である、プレートフィン２２の幅Ｈ２よりも小さい。この構成により、載置面３１２とプレートフィン２２との接触する面積を小さくすることができる。
【００６３】
また、図５に示すように、各座部４１は、プレートフィン２２の配列方向において、互い一定の間隔を経て配置される。そして、プレートフィン２２の配列方向において、互いに隣り合う座部４１の間のそれぞれには、室外側熱交換器２から下方に流下した水滴Ｗを室外ユニットの外部に排出するドレン排出口４２が備えられる。このドレン排出口４２は、空気流通方向Ｘにおいて、室外側熱交換器２の上流側側面、即ち、プレートフィン２２の上流側側面２２２と同位置に設けられる。また、ドレン排出口４２は、座部４１より下方に向かい突出した筒状に形成される。この構成により、ドレンパン４０の上面４０ｂからプレートフィン２２までの距離と比較して、ドレン排出口４２の内面４２ａからプレートフィン２２までの距離を大きくすることができる。
【００６４】
本実施形態の分離型空気調和機の室外ユニットによれば、第２の実施形態の効果（４）〜（６）に加え、以下の効果を奏することができる。
（７）本実施形態の室外ユニットでは、座部４１の下方にヒータ４３が設けられるため、座部４１の載置面４１２と、室外側熱交換器２の下面、即ち、プレートフィン２２の下端面２２１とが接触する部分に水滴Ｗの氷結を抑制することができる。したがって、水滴Ｗの氷結が抑制できるため、プレートフィン２２と座部４１との水滴Ｗが氷結することによって形成される霜がプレートフィン２２の下端部から上部に向かって成長する、いわゆる、アイスアップ現象を抑制することができる。その結果、室外側熱交換器２の着霜量を低減することができる。
【００６５】
（８）本実施形態の室外ユニットでは、空気流通方向Ｘにおいて、ドレンパン４０のドレン排出口４２が、室外側熱交換器２の上流側側面、即ち、プレートフィン２２の上流側側面２２２と略同位置に設けられる構成とする。この構成により、プレートフィン２２の上流側側面２２２の水滴Ｗがプレートフィン２２の下方に流下した場合、直接ドレン排出口４２から室外ユニット１０の外部に排出される。したがって、プレートフィン２２の上流側側面２２２に付着した水滴Ｗがドレンパン４０に溜まる部位が小さく形成されるため、ドレン排出口がプレートフィン２２の上流側側面２２２と異なる位置に設けられた場合と比較して、ドレンパン４０に溜まる水滴Ｗの量を低減することができる。
【００６６】
（９）また、ドレン排出口４２が、ドレンパン４０の座部４１から下方に向かい突出する筒状に形成されていることにより、ドレンパン４０の上面４０ｂからプレートフィン２２までの距離と比較して、ドレン排出口４２の内面４２ａからプレートフィン２２までの距離を大きくすることができる。したがって、ドレン排出口４２の内面４２ａに付着した水滴Ｗがプレートフィン２２に向かい成長した場合、内面４２ａからプレートフィン２２まで成長する氷の量が、ドレンパン４０の上面４０ｂからプレートフィン２２まで成長する氷の量と比較して多く必要となるため、プレートフィン２２に付着する氷の量を低減することができる。その結果、室外側熱交換器２の着霜量を低減することができる。
【００６７】
（第４の実施形態）
図６を参照して、本発明の本発明の分離型空気調和機の室外ユニットを具体化した第４の実施形態について説明する。なお、本実施形態の室外側熱交換器の構造は、第１の実施形態の室外側熱交換器２と同一の構造であるため、同一符号を付し、その説明を省略する。
【００６８】
図６に示すように、ドレンパン５０は、室外側熱交換器２から下方に向かい流下する水滴Ｗを受けてこれを排出するとともに、室外ユニット１０の底フレームを構成する。そして、ドレンパン５０には、プレートフィン２２の配列方向において、部分的に立ち上げた上側部分となる複数の座部５１が設けられる。これら座部５１は、支持部を構成する。また、空気流通方向Ｘにおいて、座部５１は、室外側熱交換器２の中央側、即ち、プレートフィン２２の中央に配置される。そして、座部５１の下方である座部５１におけるドレンパン５０の底部に対して室外側熱交換器２と反対側にある空間Ｓ２には、座部５１を加熱するヒータ５３が配設されている。このヒータ５３は、座部５１を加熱することにより、ドレンパン５０に溜まる水滴Ｗが氷結することを抑制する。
【００６９】
図６（ａ）に示すように、座部５１には、プレートフィン２２の配列方向において、座部５１は、ドレンパン５０の下方から上方に向かいテーパ状となる立上がり面５１１と、室外側熱交換器２の下面、即ち、プレートフィン２２の下端面２２１と接触する室外側熱交換器載置面（以下、単に「載置面」という。）５１２とが形成されている。この立上がり面５１１は、曲面状に形成されている。
【００７０】
ここで、熱交換面２１と対向する方向から室外側熱交換器２を見たときに熱交換面２１の中心軸に直交する方向である幅方向において、載置面５１２の幅Ｈ５は、室外側熱交換器２の幅である、プレートフィン２２の幅Ｈ２よりも小さい。この構成により、載置面５１２とプレートフィン２２との接触する面積を小さくすることができる。特に、本実施形態の載置面５１２は、第２及び第３の実施形態と比較しても、載置面５１２の幅Ｈ５は小さい。また、空気流通方向Ｘにおいて、本実施形態の載置面５１２の幅Ｊ１は、第２及び第３の実施形態の座部３１，４１の幅Ｊ３（図４参照），Ｊ４（図５参照）と比較して、大きい。
【００７１】
また、図６に示すように、各座部５１は、プレートフィン２２の配列方向において、互いに一定の間隔を経て配置される。そして、空気流通方向Ｘにおいて、各座部５１の上流側及び下流側のそれぞれには、座部５１から下方に向かい窪んだ下側部分となる凹部５４が設けられている。ここで、凹部５４の幅Ｊ２は、載置面５１２の幅Ｊ１と略等しい。そして、各凹部５４には、室外側熱交換器２から凹部５４に向かい流下した水滴Ｗを室外ユニットの外部に排出する複数のドレン排出口５２が備えられる。この場合、支持部である座部５１は、ドレンパン５０の底面となる凹部５４のドレン排出口５２が設けられる底面５４ａから室外側熱交換器２に向けて幅方向が一定となる形状をなす下側部分５１ａと、下側部分５１ａより上部に設けられて、凹部５４の底面５４ａから室外側熱交換器２に向けて幅方向の長さが小さくなる形状をなす上側部分５１ｂとにより構成される。
【００７２】
このドレン排出口５２は、空気流通方向Ｘにおいて、室外側熱交換器２の上流側側面及び下流側側面、即ち、プレートフィン２２の上流側側面２２２及び下流側側面２２３と略同位置に設けられる。また、ドレン排出口５２は、座部５１の立上がり面５１１と連続する位置に設けられる。
【００７３】
本実施形態の分離型空気調和機の室外ユニットによれば、第２の実施形態の効果（４）及び（６）、並びに第３の実施形態の効果（７）に加え、以下の効果を奏することができる。
【００７４】
（１０）本実施形態の室外ユニットでは、空気流通方向Ｘにおいて、ドレン排出口５２が、室外側熱交換器２の上流側側面２２２及び下流側側面２２３と略同位置に設けられる構成とする。この構成により、室外側熱交換器２の上流側側面２２２及び下流側側面２２３のそれぞれを上方から下方に向かい流下する水滴Ｗが、直接ドレン排出口５２を通過することにより、室外ユニット１０の外部に排出することができる。したがって、室外側熱交換器２の上流側側面２２２及び下流側側面２２３のそれぞれを上方から下方に向かい流下する水滴Ｗがドレンパン５０に溜まる量を低減することができるため、アイスアップ現象を抑制することができる。その結果、室外側熱交換器２の着霜量を低減することができる。
【００７５】
（１１）また、座部５１の立上がり面が座部５１の立上がり面５１１と連続する位置に設けられる構成により、座部５１に付着した水滴Ｗをドレン排出口５２に効率的に排出することができる。したがって、座部５１に付着した水滴Ｗの量を低減することができるため、アイスアップ現象を抑制することができる。
【００７６】
（１２）また、座部５１が、下側部分５１ａと上側部分５１ｂとから構成されることにより、ドレンパン５０の上面５０ａからプレートフィン２２までの距離と比較して、座部５１の下側部分５１ａからプレートフィン２２までの距離を大きくすることができる。したがって、下側部分５１ａに付着した水滴Ｗがプレートフィン２２に向かい成長した場合、下側部分５１ａからプレートフィン２２まで成長する氷の量が、ドレンパン５０の上面５０ａからプレートフィン２２まで成長する氷の量と比較して多く必要となるため、プレートフィン２２に付着する氷の量を低減することができる。その結果、室外側熱交換器２の着霜量を低減することができる。
【００７７】
（その他の実施形態）
なお、本発明の実施態様は、上記各実施形態に例示した態様に限られるものではなく、これを例えば、以下のように変更することもできる。
【００７８】
・上記第１の実施形態では、支持台２６は、複数の断面矩形状の棒材を組み合わせて形成されたが、棒材の断面形状は、例えば、丸形状及び楕円形状であってもよい。これら棒材の断面形状を丸形状及び楕円形状とすることにより、室外側熱交換器２の下端面、即ち、プレートフィン２２の下端面と支持台２６との接触する面積をより一層小さくすることができる。この構成により、室外側熱交換器２から流下した水滴Ｗが室外側熱交換器２と載置面２６１ａとの接触する部分にたまる水滴Ｗの量を低減することができるため、水滴Ｗが凍ることによって形成される霜がプレートフィン２２の下端部から上部に向かって成長する、いわゆる、アイスアップ現象を抑制することができる。その結果、室外側熱交換器２の着霜量を低減することができる。
【００７９】
・上記第１の実施形態では、支持台２６の第３フレーム部２６３を、例えば、棒材等の金属製線状部材にて構成されたが、第３フレーム部２６３は、例えば、鋼板等の平板状の部材であってもよい。
【００８０】
・上記第１の実施形態では、空気流通方向Ｘにおいて、ドレンパン２５のドレン排出口２５ｂの幅Ｈ３が、室外側熱交換器２の幅、即ち、プレートフィン２２の幅Ｈ２と略等しく形成されたが、ドレン排出口２５ｂの幅Ｈ３は、プレートフィン２２の幅Ｈ２より大きく形成されてもよい。この構成により、室外側熱交換器２の側面、即ち、空気流通方向Ｘにおいて、プレートフィン２２の側面に沿って流下した水滴Ｗをドレンパン２５に溜めることなく、直接、室外ユニットの外部に排出することができる。
【００８１】
・上記第１の実施形態では、ドレンパン２５及び支持台２６は、別部材にて構成されたが、ドレンパン及び支持台は、単一部材にて構成されてもよい。この構成により、支持台に別個の部材が不要となる。
【００８２】
・上記第２および第３の実施形態では、座部３１，４１の立上がり面３１１，４１１を下方から上方に向かいテーパ状に設けたが、座部は、空気流通方向Ｘの側方から見た形状が、載置面の幅に合わせた方形状であってもよい。この構成により、載置面とプレートフィン２２の下端面２２１との接触する面積を小さくすることができる。したがって、室外側熱交換器２から流下した水滴Ｗが室外側熱交換器２と載置面との接触する部分に溜まる水滴Ｗの量を低減することができるため、アイスアップ現象を抑制することができる。その結果、室外側熱交換器２の着霜量を低減することができる。また、立上がり面は、載置面から上流側もしくは下流側の一方が形成した傾斜面から形成された方形状であってもよい。この構成であっても、上記と同様の効果を得ることができる。
【００８３】
・上記第３の実施形態では、空気流通方向Ｘにおいて、室外側熱交換器２の下流側に座部４１を設けたが、室外側熱交換器２の上流側、即ち、プレートフィン２２の上流側に座部を設けてもよい。ここで、室外側熱交換器２の上流側に座部を設けた場合、ドレン排出口は、室外側熱交換器２の下流側、即ち、プレートフィン２２の下流側に設けられる。
【００８４】
・上記第３の実施形態では、空気流通方向Ｘにおいて、座部４１とドレン排出口４２とが離間して設けられたが、図６に示すように、座部４１とドレン排出口４２とは連続した位置に設けられてもよい。この構成により、座部４１に付着した水滴Ｗは、ドレン排出口４２に効率的に排出される。
【００８５】
・上記第２〜第４の実施形態では、ドレンパン３０，４０，５０に座部３１，４１，５１が形成されることにより、ドレンパン３０，４０，５０と支持台とを単一部材としたが、ドレンパン３０，４０，５０と支持台とは、別部材であってもよい。
【００８６】
・上記第１〜第４の実施形態では、室外側熱交換器２とドレンパン２５，３０，４０，５０との間に隙間が設けられる構成であったが、室外側熱交換器２の上流側及び下流側の少なくともどちらか一方において、ドレンパン２５，３０，４０，５０に上記隙間を流通する空気量を低減するための遮蔽部材を設けてもよい。この構成により、上記隙間を流通する空気量が低減することにより、プレートフィン２２の熱交換面２１に接触する空気量が増加するため、室外側熱交換器２の熱交換効率を向上させることができる。
【００８７】
・本発明の支持部としての構造は、上記各実施形態にて例示した構造に限られるものではない。他に例えば、ドレンパンの底部に複数の支柱を設け、これによりプレートフィン２２の下端面２２１を支持することもできる。要するに、ドレンパンの底部とプレートフィン２２の下端面２２１との間に介在して、プレートフィン２２の下端面２２１を支持するものであれば、支持部としての構造は適宜変更可能であり、その場合においても上記各実施形態の作用効果に準じた作用効果を奏することはできる。
【図面の簡単な説明】
【００８８】
【図１】本発明の分離型空気調和機の室外ユニットを具体化した第１の実施形態について、同ユニットを含めた分離型空気調和機の冷媒回路を示した回路図。
【図２】（ａ）同実施形態の室外ユニットについて、プレートフィンの熱交換面に沿う断面構造を示す断面図。（ｂ）同実施形態の室外ユニットについて、その正面構造を示す正面図。
【図３】同実施形態の室外ユニットについて、ドレンパンの支持台の斜視構造を示す斜視図。
【図４】（ａ）本発明の分離型空気調和機の室外ユニットを具体化した第２の実施形態について、プレートフィンの熱交換面に沿う同ユニットの断面構造を示す断面図。（ｂ）同実施形態の室外ユニットについて、その正面構造を示す正面図。
【図５】（ａ）本発明の分離型空気調和機の室外ユニットを具体化した第３の実施形態について、プレートフィンの熱交換面に沿う同ユニットの断面構造を示す断面図。（ｂ）同実施形態の室外ユニットについて、その正面構造を示す正面図。
【図６】（ａ）本発明の分離型空気調和機の室外ユニットを具体化した第４の実施形態について、プレートフィンの熱交換面に沿う同ユニットの断面構造を示す断面図。（ｂ）同実施形態の室外ユニットについて、その正面構造を示す正面図。
【図７】従来の分離型空気調和機の室外ユニットについて、プレートフィンの熱交換面に沿う断面構造を示す断面図。
【符号の説明】
【００８９】
１…空気調和機、２…室外側熱交換器、２１…熱交換面、２２１…下端面、２２…プレートフィン、２４…熱交換パイプ、２５…ドレンパン、２５ａ…上面、２５ｂ…ドレン排出口、２５ｃ…底壁、２６…支持台、２６１…第１フレーム部、２６１ａ…室外側熱交換器載置面、２６１ｂ…立上がり面、２６２…第２フレーム部、２６３…第３フレーム部、３…膨張弁、４…室内側熱交換器、５…四路切換弁、６…圧縮機、１０…室外ユニット、３０，４０，５０…ドレンパン、３０ａ，４０ａ…底壁、３０ｂ，４０ｂ，５０ａ…上面、３１，４１，５１…座部、５１ａ…下側部分、５１ｂ…上側部分、３１１，４１１，５１１…立上がり面、３１２，４１２，５１２…載置面（室外側熱交換載置面）、３２、４２、５２…ドレン排出口、４３，５３…ヒータ、５４…凹部、５４ａ…底面。
【図１】
2010038486.tif 000003
【図２】
2010038486.tif 000004
【図３】
2010038486.tif 000005
【図４】
2010038486.tif 000006
【図５】
2010038486.tif 000007
【図６】
2010038486.tif 000008
【図７】
2010038486.tif 000009